(57)【要約】【課題】靴下編み機を構成するニードル・シリンダーに設けられた針を選択的に作動させるようにライトステッチ・カムユニット及びレーシング・カムユニットを部分的に改造したフットカバーの製織装置を提供する。【解決手段】複数の針が設けられたニードル・シリンダーがカムプレートの中心部に回転自在に形成され、ニードル・シリンダーを中心に各種のカムユニットが設けられて複数の針を誘導するように構成されたフットカバーの製織装置を提供する。【選択図】図１
2013221225.tif 000002
【特許請求の範囲】
【請求項１】
大、中及び小の針孔（２０’、２１’、２２’）をそれぞれ有する針（２０、２１、２２）が設けられたニードル・シリンダー（２５）がカムプレート（２６）の中心部に設けられて、周知のニードル・シリンダー駆動手段によって回転自在に構成され、
前記ニードル・シリンダー（２５）を中心にライトステッチ・カムユニット（１）、レーシング・カムユニット（１０）及び各種のカムユニット（２７）を設けて針レース溝（２８）を形成し、ニードル・シリンダー（２５）に設けられた針（２０、２１、２２）が針レース溝（２８）に沿って移動しつつ靴下を製織するように構成された靴下編み機を用いたフットカバーの製織装置において、
ライトステッチ・カムユニット（１）を構成するブロック（２）の一側に、針の移動方向を制御するためのタッチ片（３）と長方形のボルト孔（５）が形成された作動杆（４）とをガイドボルト（６）によって設け、作動杆の復帰作用のためのコイルスプリング（７）の一側は作動杆（４）に、コイルスプリング（７）の他側はブロック（２）に設け、前記作動杆の後尾には空圧シリンダーによって作動するロッド（８）が密着するように設けられ、
レーシング・カムユニット（１０）を構成するブロック（１１）の一側に、針の移動方向を制御するためのタッチ片（１２）と長方形ボルト孔（１３）が形成された作動杆（１４）とをガイドボルト（１５）によって設け、作動杆の復帰作用のためのコイルスプリング（１６）の一側は作動杆（１４）に、コイルスプリング（１６）の他側はブロック（１１）に設け、前記作動杆の後尾には空圧シリンダーのロッド（１８）によって作動する‘Ｌ’字状のロッド（１７）を密着するように設けて構成されることを特徴とする靴下編み機を用いたフットカバーの製織装置。
【請求項２】
大、中及び小の針孔が形成された２００個の針を使用してフットカバーを製織するが、最初に中及び小の針孔が形成された１００個の針を使用して、ニードル・シリンダーを１８０°往復回転させてフットカバーのバンド部の下部を製織し、前記１００個の針のうち、針孔（２２’）が形成された針（２２）のみが製織動作を行ってバンド部（５１）を製織するステップと、
中及び小の針孔が形成された１００個の針を使用してフットカバーのバンド部の下部、かかと部、及び足の裏部を製織するステップと、
大、中及び小の針孔が形成された２００個の針を使用して、ニードル・シリンダーを３６０°連続的に回転させて足の前部（５３）を製織するステップと
を含むことを特徴とする靴下編み機を用いたフットカバーの製織方法。
【請求項３】
請求項２に記載のフットカバーの製織方法によってフットカバーのバンド部、かかと部、足の裏部、及び足の前部が一体に製織されることを特徴とするフットカバー。
【請求項４】
大、中及び小の針孔が形成された２００個の針を使用してフットカバーを製織するが、最初に中及び小の針孔が形成された１００個の針を使用して、ニードル・シリンダーを１８０°往復回転させてフットカバーのバンド部の下部を製織し、前記１００個の針のうち、針孔（２２’）が形成された針（２２）のみが製織動作を行って一定の幅を有するバンド部（５１０）を製織するステップと、
中及び小の針孔が形成された１００個の針を使用してフットカバーのバンド部（５１０）の下部及び足の前部（５２０）を製織するステップと、
大、中及び小の針孔（２０’、２１’、２２’）をそれぞれ有する針（２０、２１、２２）が設けられたニードル・シリンダー（２５）を３６０°連続的に回転させて、足の前部（５２０）とかかと部（５３０）との間、及び足の甲部のバンド部（５４０）を製織するステップと、
中及び小の針孔が形成された１００個の針を１８０°回転させてかかと部を製織するステップと、
大、中及び小の針孔が形成された２００個の針を使用して、ニードル・シリンダー（２５）を３６０°連続的に回転させて足首部（５５０）を製織するステップと
を含むことを特徴とする靴下編み機を用いたフットカバーの製織方法。
【請求項５】
請求項４に記載のフットカバーの製織方法によって、フットカバーのバンド部（５１０）及び足の前部（５２０）が一体に製織され、前記足の前部（５２０）とかかと部（５３０）との間、及び足の甲部のバンド部（５４０）が一体に製織され、足の甲部のバンド部及びかかと部が足首部（５５０）と一体に製織されることを特徴とするフットカバー。
【発明の詳細な説明】
【技術分野】
【０００１】
本発明は、靴下編み機を構成するニードル・シリンダーに設けられた針を選択的に作動させるようにライトステッチ・カムユニット及びレーシング・カムユニットを部分的に改造して、フットカバーのバンド部、かかと部、足の裏部、及び足の前部を連続的に製織可能な製織装置と、フットカバーのバンド部、かかと部、及び足の前部を縫製せずに一体に製織する製織方法に関する。
【背景技術】
【０００２】
周知のように、靴下編み機は靴下を製織するものであって、複数の針がニードル・シリンダーに設けられ、前記針の設けられたニードル・シリンダーが回転しつつ、複数の針がレース溝に沿って順次に昇降して靴下を円筒状に製織する。
【０００３】
従来、前記のような靴下編み機は、一般的な靴下、すなわち靴下のバンド部、足首部、かかと部、足の甲部、足の裏部、及び靴下の前側部を円筒状の単一体に製織するように構成されている。
【０００４】
前記のように構成された靴下編み機は、靴下のように、足首部がなく、かつ足の甲部が開放しているフットカバーを製織することができないため、大部分は織物を縫製する手段によってフットカバーを製造した。
【０００５】
前記のように、織物を使用してフットカバーを縫製手段によって製造する場合には、生産性が非常に低下するだけでなく、高い人件費がかかるため高コストになり、縫製による連結部によって着心地や外観の美感が大きく低下するという問題点がある。
【０００６】
前記問題点を解決するために、靴下編み機を改造したフットカバーの製織装置が開示されているが、構造的に非常に複雑であり、改造による高コストがかかるという問題点と、カムユニットの作動において精密性が低いなど、構造的に多くの問題点がある。
【先行技術文献】
【特許文献】
【０００７】
【特許文献１】大韓民国登録実用新案出願番号第２０−２０１０−０００２２１５号
【特許文献２】大韓民国特許出願番号第１０−２００２−００８０５２６号
【発明の概要】
【発明が解決しようとする課題】
【０００８】
本発明は、前記のような問題点を解決するためになされたものであって、靴下編み機を構成するライトステッチ・カムユニット及びレーシング・カムユニットを簡単に改造して靴下編み機でフットカバーを製織できることができるフットカバーの製織装置を提供するところにその目的がある。
【０００９】
また、本発明は、前記ライトステッチ・カムユニット及びレーシング・カムユニットの動作によって針を選択的に作動させて、フットカバーのバンド部、かかと部、足の裏部、及び足の前部を一体に製織するフットカバーの製織方法を提供するところに他の目的がある。
【課題を解決するための手段】
【００１０】
前記目的を達成するための本発明は、複数の針が設けられたニードル・シリンダーがカムプレートの中心部に回転自在に形成され、ニードル・シリンダーを中心に各種のカムユニットが設けられて複数の針を誘導するように構成されたフットカバーの製織装置を提供する。
【００１１】
本発明のフットカバーの製織装置は、前記複数のカムユニットのうち、ライトステッチ・カムユニット及びレーシング・カムユニットの一側に、ニードル・シリンダーに設けられている複数の針を、その複数の針の移動方向を制御するようにタッチ片が形成された作動杆を移動できるように設けて、空圧シリンダーによって前進及び後進するように構成されている。
【００１２】
前記のように構成されたフットカバーの製織装置を使用して、ニードル・シリンダーに設けられた２００個の針のうち、まず１００個の針を使用してフットカバーのバンド部、かかと部、及び足の裏部を製織し、その後、１００個の針をさらに使用して総２００個の針によって足の前部を連続的に製織することが本発明の特徴である。
【発明の効果】
【００１３】
本発明による靴下編み機を用いたフットカバーの製織装置は、ライトステッチ・カムユニット及びレーシング・カムユニットを簡便に改造することでフットカバーを製織することができる、靴下編み機を用いたフットカバーの製織装置が低コストで提供される経済的な効果がある。
【００１４】
また、本発明による靴下編み機を用いたフットカバー製織方法によれば、縫製せずにフットカバーのバンド部、かかと部、足の裏部、及び足の前部を一体に製織することができるため、着心地がよく、また、外観の美麗なフットカバーを低コストで提供して対外競争力を高める効果がある。
【図面の簡単な説明】
【００１５】
【図１】靴下編み機を用いたフットカバーの製織装置を示す平面図である。
【図２】靴下編み機を構成するライトステッチ・カムユニットの斜視図である。
【図３】靴下編み機を構成するライトステッチ・カムユニットの作用を示す平面図である。
【図４】靴下編み機を構成するレーシング・カムユニットの斜視図である。
【図５】靴下編み機を構成するレーシング・カムユニットの作用を示す平面図である。
【図６】（イ）、（ロ）、及び（ハ）は、靴下編み機を構成する針を示す正面図である。
【図７】靴下編み機を用いたフットカバーの製織装置によって製織されたフットカバーの例示図である。
【図８】靴下編み機を用いたフットカバーの製織装置によって製織されたフットカバーの例示図である。
【発明を実施するための形態】
【００１６】
以下に添付図面を参照しながら、本発明の実施の形態について詳細に説明する。なお、本明細書及び図面において、実質的に同一の機能構成を有する構成要素については、同一の符号を付することにより重複説明を省略する。
【００１７】
以下、添付図面を参照して、本発明による靴下編み機を用いたフットカバー、その製織装置及び製織方法に関する具体的な実施形態を詳細に説明する。
【００１８】
本発明による靴下編み機を用いたフットカバーの製織装置は、大、中及び小の針孔２０’、２１’及び２２’をそれぞれ有する針２０、２１及び２２が設けられたニードル・シリンダー２５がカムプレート２６の中心部に、周知のニードル・シリンダー駆動手段によって回転自在に形成される。
【００１９】
本発明による靴下編み機を用いたフットカバーの製織装置は、前記ニードル・シリンダー２５を中心に、ライトステッチ・カムユニット１及びレーシング・カムユニット１０の他に各種のカムユニット２７を設けることで針レース溝２８が形成され、ニードル・シリンダー駆動手段によってニードル・シリンダー２５に設けられた針２０、２１及び２２がニードル・シリンダー２５とともに回転しつつ針レース溝２８に沿って誘導されつつ靴下を製織するように構成された周知の靴下編み機を備えて構成される。
【００２０】
本発明による靴下編み機を用いたフットカバーの製織装置は、前記カムユニットのうちライトステッチ・カムユニット１及びレーシング・カムユニット１０の一側に、ニードル・シリンダーの回転作用によってニードル・シリンダーに設けられている複数の針を制御するように針制御手段１’及び１０’がそれぞれ設けられる。
【００２１】
前記ライトステッチ・カムユニット１に設けられた針制御手段１’は、ブロック２の一側に、針の移動方向を制御するためのタッチ片３が形成され、作動杆を案内するための長方形のボルト孔５が形成された作動杆４をガイドボルト６によって設け、作動杆の復帰作用のためのコイルスプリング７の一側は作動杆４に、コイルスプリング７の他側はブロック２に設け、前記作動杆の後尾には空圧シリンダーによって作動するロッド８が密着するように設けられている。
【００２２】
また、レーシング・カムユニット１０に設けられた針制御手段１０’は、ブロック１１の一側に、針の移動方向を制御するためのタッチ片１２が形成され、作動杆を案内するための長方形のボルト孔１３が形成された作動杆１４をガイドボルト１５で設け、作動杆の復帰作用のためのコイルスプリング１６の一側は作動杆１４に、コイルスプリング１６の他側はブロック１１に設け、前記作動杆の後尾には空圧シリンダーのロッド１８によって作動する‘Ｌ’字状のロッド１７を密着するように設けて構成される。
【００２３】
参照符号５０はフットカバーを示し、参照符号
５１及び５１０はフットカバーのバンド部を示し、参照符号５２はかかと部と足の裏部を示し、参照符号５３及び５２０は足の前部を示し、参照符号５３０はかかと部を示し、参照符号５４０は足の甲部のバンド部を示し、参照符号５５０は足首部を示す。
【００２４】
以下、前記のように構成された靴下編み機を用いたフットカバーの製織装置の作用及び、前記作用によってフットカバーを製織する方法について詳細に説明する。
【００２５】
本発明による靴下編み機を用いたフットカバーの製織装置の場合も、一般的な靴下編み機のように、大、中及び小の針孔２０’、２１’及び２２’をそれぞれ有する針２０、２１及び２２が設けられたニードル・シリンダー２５が、カムプレート２６の中心部に周知のニードル・シリンダー駆動手段によって回転しつつ、ニードル・シリンダー２５を中心に設けられたライトステッチ・カムユニット１及びレーシング・カムユニット１０の他に各種のカムユニット２７によって形成された針レース溝２８に沿って大、中及び小の針孔２０’、２１’及び２２’が誘導されつつ靴下を製織するものである。しかし、このような作用は一般的な作用であるため、その具体的な説明を省略する。
【００２６】
以下、本発明によるフットカバーの製織装置による作用を説明するとともに、足首部のないフットカバーと足首部を有するフットカバーの製織方法をそれぞれ説明する。
【００２７】
まず、足首部のないフットカバーの場合には、大、中及び小の針孔２０’、２１’及び２２’をそれぞれ有する針２０、２１及び２２をニードル・シリンダー２５に形成するとき、ニードル・シリンダー２５の半分の部分には中及び小の針孔２１’及び２０’をそれぞれ有する針２１及び２２を交互に設け、他の半分の部分には大、中及び小の針孔２０’、２１’及び２２’をそれぞれ有する針２０、２１及び２２を設けた後、周知のニードル・シリンダー駆動手段によってニードル・シリンダー２５を最初に１８０°往復回転させて、中及び小の針孔２１’及び２０’をそれぞれ有する針２１及び２２を使用してフットカバーのバンド部５１の下部を製織する。
【００２８】
また、複数のカムユニットのうち、ライトステッチ・カムユニット１及びレーシング・カムユニット１０に設けられた複数の針を制御するように針制御手段１’及び１０’を作動させる。
【００２９】
それにより、ライトステッチ・カムユニット１を構成する作動杆４の後尾に空圧シリンダーによって作動するロッド８が作動して、複数の針の移動方向を制御するためのタッチ片３が形成された作動杆４を押すようになる。
【００３０】
前記作用によって、作動杆４は、ガイドボルト６に沿って前進するようになり、作動杆４に形成されたタッチ片３が針レース溝２８側にやや移動して、中の針孔２１’のみがかかるようになる。
【００３１】
また、レーシング・カムユニット１０を構成する作動杆１４の後尾に空圧シリンダーによって作動するロッド１８が‘Ｌ’字状のロッド１７を押せば、針の移動方向を制御するためのタッチ片１２が形成された作動杆１４を押すようになる。
【００３２】
前記作用によって、作動杆１４に形成されたタッチ片１２が針レース溝２８側にやや移動して、中の針孔２１’のみがかかるようになる。
【００３３】
前記のような状態でフットカバーのバンド部５１を製織すれば、中及び小の針孔が形成された１００個の針のうち、５０個の小の針孔２２’を有する針２２のみが製織動作を行い、このように一定の幅を有するバンド部５１を製織すれば、ライトステッチ・カムユニット１及びレーシング・カムユニット１０に設けられた複数の針を制御するように針制御手段１’及び１０’を作動させて、ライトステッチ・カムユニット１を構成するタッチ片３が形成された作動杆４と、レーシング・カムユニット１０を構成するタッチ片１２が形成された作動杆１４を後進させて、さらに中及び小の針孔が形成された１００個の針を使用してフットカバーのバンド部５１の下部を製織した後、かかと部及び足の裏部５２を製織する。
【００３４】
その後、大、中及び小の針孔２０’、２１’及び２２’をそれぞれ有する針２０、２１及び２２が設けられたニードル・シリンダー２５を、周知のニードル・シリンダー駆動手段によって３６０°連続的に回転させて、大、中及び小の針孔が形成された２００個の針の針を使用して足の前部５３を製織すればよい。
【００３５】
また、足首部を有するフットカバーの製織方法の場合も、前記のようなフットカバーの製織装置による作用と同一であり、製織方法においては、最初に足の前部を製織し、足首部を最後に製織するところに差異がある。
【００３６】
まず、フットカバーの製織装置を構成する、複数の針が設けられたニードル・シリンダー２５を、周知のニードル・シリンダー駆動手段によって最初に１８０°往復回転させて、中及び小の針孔２１’及び２０’をそれぞれ有する針２１及び２２を使用してフットカバーのバンド部５１０の下部を製織する。
【００３７】
また、カムユニットのうち、ライトステッチ・カムユニット１及びレーシング・カムユニット１０に設けられた複数の針を制御するように針制御手段１’及び１０’を作動させる。
【００３８】
それにより、ライトステッチ・カムユニット１を構成する作動杆４の後尾に空圧シリンダーによって作動するロッド８が作動して、複数の針の移動方向を制御するためのタッチ片３が形成された作動杆４を押すようになる。
【００３９】
前記作用によって、作動杆４は、ガイドボルト６に沿って前進するため、作動杆４に形成されたタッチ片３が針レース溝２８側にやや移動して、中の針孔２１’のみがかかるようになる。
【００４０】
また、レーシング・カムユニット１０を構成する作動杆１４の後尾に空圧シリンダーによって作動するロッド１８が‘Ｌ’字状のロッド１７を押せば、針の移動方向を制御するためのタッチ片１２が形成された作動杆１４を押すようになる。
【００４１】
前記作用によって、作動杆に形成されたタッチ片１２が針レース溝２８側にやや移動して、中の針孔２１’のみがかかるようになる。
【００４２】
前記のような状態でフットカバーのバンド部５１０を製織すれば、中及び小の針孔が形成された１００個の針のうち、５０個の針孔２２’が形成された針２２のみが製織動作を行う。
【００４３】
前記のようにして、一定の幅を有するバンド部５１０が製織されれば、ライトステッチ・カムユニット１及びレーシング・カムユニット１０に設けられた複数の針を制御するように針制御手段１’及び１０’を作動させて、ライトステッチ・カムユニット１を構成するタッチ片３が形成された作動杆４と、レーシング・カムユニット１０を構成するタッチ片１２が形成された作動杆１４を後進させて、さらに中及び小の針孔が形成された１００個の針を使用してフットカバーのバンド部５１の下部を製織した後、足の前部５２０を製織する。
【００４４】
その後、大、中及び小の針孔２０’、２１’及び２２’をそれぞれ有する針２０、２１及び２２が設けられたニードル・シリンダー２５を、周知のニードル・シリンダー駆動手段によって３６０°連続的に回転させて、大、中及び小の針孔が形成された２００個の針を使用して足の前部５２０とかかと部５３０との間及び足の甲のバンド部５４０を製織し、その後、中及び小の針孔が形成された１００個の針を１８０°回転させてかかと部５３０を製織した後、大、中及び小の針孔が形成された２００個の針を使用してニードル・シリンダー２５を３６０°連続的に回転させて足首部５５０を製織すればよい。
【００４５】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００４６】
１  ライトステッチ・カムユニット
２  ブロック
３、１２  タッチ片
４、１４  作動杆
７、１６  コイルスプリング
１０  レーシング・カムユニット
【図１】
2013221225.tif 000003
【図２】
2013221225.tif 000004
【図３】
2013221225.tif 000005
【図４】
2013221225.tif 000006
【図５】
2013221225.tif 000007
【図６】
2013221225.tif 000008
【図７】
2013221225.tif 000009
【図８】
2013221225.tif 000010